(57)【要約】  製品の保管および／または展示を行うガラス製のショーケースは、前方外側面と、後方外側面（２）と、右方外側面（３）と、左方外側面（４）と、底部（５）と、頂部を形成する上部（６）と、を備え、少なくとも１つの外側面、例えば前方外側面は、ガラス製のドア（１）として形成されている。ガラス製のショーケースの閉じた状態において、このショーケースの内部は外部環境に対して空気を通さないようシールされており、ドア（１）は、上部または下部の領域に、あるいは上部および下部のそれぞれの領域に設けられたガイド手段により、当該ドアの半分が開くまで横方向に平行に移動自在となるよう設けられている。ガイド手段は、この位置において、ドア（１）の突出した部分が平行状態にある左方外側面（４）または右方外側面（３）に隣接するまで、ドア（１）の突出した部分が回転するよう設計されている。このようなガラス製のショーケースは、とりわけ長い幅を有するときに適したものとなる。
2008538946.tif 000002
【特許請求の範囲】
【請求項１】
製品の保管および／または展示を行うガラス製のショーケースであって、
前方外側面と、後方外側面と、右方外側面と、左方外側面と、底部と、頂部を形成する上部と、を備え、
少なくとも１つの外側面、例えば前方外側面は、ガラス製のドアとして形成されており、
ガラス製のショーケースの閉じた状態において、このショーケースの内部は外部環境に対して空気を通さないようシールされており、
ドアは、上部または下部の領域に、あるいは上部および下部のそれぞれの領域に設けられたガイド手段により、横方向に平行に移動自在となるよう設けられており、
ドア（１）は、当該ドアの半分が開くまで横方向に移動自在となっており、このドア（１）は、ガイド手段（７）における対応する形状により、ドア（１）の突出した部分が平行状態にある左方外側面（４）または右方外側面（３）に隣接するまで、このドアの半分が開いた位置において回転することができ、この際に、ガイド手段（７）は、ドア（１）の重心が常にガラス製のショーケースに近い一定の位置となるよう形成されていることを特徴とするガラス製のショーケース。
【請求項２】
ガイド手段（７）は、第１の部材（８）および第２の部材（９）を有し、第１の部材（８）はガラス製のショーケース（１３）に接続され、第２の部材（９）はドア（１）に取り付けられ、このガイド手段（７）は、ドア（１）の中心の領域において、回転移動のためのベアリング（１２）を有していることを特徴とする請求項１記載のガラス製のショーケース。
【請求項３】
第２の部材は、固定された部品（１０）および移動自在の部品（１１）を有し、両方の部品（１０、１１）は互いに回転自在に連結されていることを特徴とする請求項２記載のガラス製のショーケース。
【請求項４】
両方の部品（１０、１１）は、固定および取り外しが自在となるよう互いに連結させることができ、ドア（１）は、両方の部品が連結した状態のときに、横方向に移動させることができることを特徴とする請求項３記載のガラス製のショーケース。
【請求項５】
ドア（１）が横方向における移動終端位置にあるときにのみ、両方の部品（１０、１１）の分離が可能となることが、適切な手段により確実に行われることを特徴とする請求項１乃至４のいずれか一項に記載のガラス製のショーケース。
【請求項６】
適切な手段により、ドア（１）の回転点が、当該ドアの開いた状態における終端位置において外方に移動させられることを特徴とする請求項１乃至４のいずれか一項に記載のガラス製のショーケース。
【請求項７】
ガイド手段（７）の第１の部材（８）は、ガラス製のショーケースに固定状態で連結されていることを特徴とする請求項１乃至６のいずれか一項に記載のガラス製のショーケース。
【請求項８】
右方外側面（３）または左方外側面（４）への案内を行うガイド手段（７）の第１の部材（８）は、平行に移動させることができるようガラス製のショーケース（１３）に取り付けられていることを特徴とする請求項１乃至６のいずれか一項に記載のガラス製のショーケース。
【請求項９】
ドア（１）は、当該ドアが閉じた状態において、左方外側面（４）および右方外側面（３）の両方の縁部領域に囲まれるようになっており、ガイド手段（７）の第１の部材（８）は対応するガイドによりガラス製のショーケース（１３）に接続されており、第１の部材（８）は、締め具を外したあと、ガラス製のショーケース（１３）から外すことができるようになっていることを特徴とする請求項８記載のガラス製のショーケース。
【請求項１０】
ドア（１）が完全に開いた状態のときに、このドア（１）の重心はベアリング（１２）の回転点に位置することを特徴とする請求項１乃至９のいずれか一項に記載のガラス製のショーケース。
【発明の詳細な説明】
【技術分野】
【０００１】
本発明は、製品の保管および／または展示を行うガラス製のショーケースであって、前方外側面と、後方外側面と、右方外側面と、左方外側面と、底部と、頂部を形成する上部と、を備え、少なくとも１つの外側面、例えば前方外側面は、ガラス製のドアとして形成されており、ガラス製のショーケースの閉じた状態において、このショーケースの内部は外部環境に対して空気を通さないようシールされており、ドアは、上部または下部の領域に、あるいは上部および下部のそれぞれの領域に設けられたガイド手段により、横方向に平行に移動自在となるよう設けられているようなガラス製のショーケースに関する。
【背景技術】
【０００２】
このようなガラス製のショーケースは既に知られており、例えばドイツ特許公開公報ＤＥ  １０２  ６１  ５２３  Ａ１に記載されている。ガラス製のショーケースは、展示会や博物館において文化的製品や芸術的製品を展示するために使用されている。この場合、周囲環境から製品を保護するとともに、障害物なしに製品を見ることができるようにしなければならない。このことは、非常に大きな寸法の製品をガラス製のショーケースに入れなければならない際に生じる。この場合、右方外側壁と左側外側壁の間における完全な幅部分においてドア全体の開口が設けられるように、ガラス製のショーケースを設計することが好都合である。簡単な解決法としては、１枚の回転自在のドアを設けることである。しかしながら、このような解決法では、特定の理由によりガラス製のショーケースが非常に大きくなってしまった場合に、問題に直面してしまう。横方向に移動可能なドアは、単にドアを引き出すときにドアは移動するのみであるので、ドアの開口は最大で半分しか形成されないという欠点がある。
【発明の開示】
【発明が解決しようとする課題】
【０００３】
本発明の目的は、ドアが開いた状態となったときに、このドアの開口を幅全体のサイズで形成することができるような、上述のタイプのガラス製のショーケースを形成することにある。
【課題を解決するための手段】
【０００４】
この目的は、ドアは、当該ドアの半分が開くまで横方向に移動自在となっており、このドアは、ガイド手段における対応する形状により、ドアの突出した部分が平行状態にある左方外側面または右方外側面に隣接するまで、このドアの半分が開いた位置において回転することができ、ガイド手段は、ドアの重心が常にガラス製のショーケースに近い一定の位置となるよう形成されることにより達成される。
【０００５】
ガラス製のショーケースの幅が大きい場合であっても、すなわち非常に長い前部を有している場合であっても、ドアの回転範囲はドアの幅の半分のみとなり、展示スペースにおけるガラス製のショーケースのスペースを節約することができる。本発明によるガラス製のショーケースの更なる利点は、とりわけ奥行きの小さなガラス製のショーケースの場合で安定性に関する問題が起きないということである。なぜならば、開いた状態にあるドアにおける回転自在なベアリングにより、ガラス製のショーケースの前部に張力が生じない限りにおいて、ドアの質量は回転点に関してバランスが取られるからである。
【０００６】
本発明による更に利点のある実施形態については、従属請求項より明らかになるであろう。
【発明を実施するための最良の形態】
【０００７】
本発明について、図示されるような例示的な実施形態を参照して、より詳細について説明する。
【０００８】
図１に示すガラス製のショーケースは、前方外側面と、後方外側面２と、右方外側面３と、左方外側面４と、底部５と、頂部を形成する上部６とを有しており、前方外側面は、ドア１として形成されている。全ての外側面、またはこれらの外側面のうちの一部は、透明または非透明な板より構成されている。底部５はガラス製のショーケースのベースを形成している。
【０００９】
ドア１は、スライド式のドアとして形成されている。このドア１は半分だけ開くようになっており、ガラス製のショーケースの内部へのアクセスは、このスライド式のドアを横方向に移動させることにより行われる。この目的のために、ガイド手段７が、ガラス製のショーケースの上部６の領域または下部５の領域、あるいは上部６および下部５の両方の領域に、それぞれ取り付けられている。このガイド手段７は、スライド部材、ボールベアリングまたはローラーベアリングとして形成されている。ガイド手段７は、第１の部材８および第２の部材９、例えば、ローラ（図２）を受けるガイドを有している。例示的な実施形態において、ガイドはガラス製のショーケース１３のハウジングに取り付けられており、ローラがドア１に取り付けられているが、このような取り付け方法を完全に逆にすることも十分考えることができる。
【００１０】
第２の部材９は、固定された部品１０および移動可能な部品１１を有しており、両方の部品１０、１１は、同一面上に設けられた、既に上述した複数のローラを有している。この場合において、移動可能な部品１１の全長は、ドア１の幅に対応するようになっている。両方の部品１０、１１は、ベアリング１２（図３）によりドア１の中心の領域に設けられている。このことにより、移動可能な部品１１は固定された部品１０に対して回転自在に連結されることとなる。ベアリング１２の回転軸は垂直に延びており、移動可能な部品１１に固定状態で連結されたドア１と平行となっている。
【００１１】
ガイド手段７においてドア１が横方向に移動したときには、ローラがガイド内で一方の側に移動し、移動可能な部品１１に１個ずつ取り付けられたローラは、固定された部品１０のローラがガイド内に位置するまでの間のみ、ガイドから離れることとなる。このような位置において、ドア１の移動工程がこれ以上続かなくなるような停止が確実に行われる。
【００１２】
ドア１の横方向の回転において、固定された部品１０および移動可能な部品１１は固定され、互いに取り外し可能となるよう連結される。このことは、図示しない適切な手段により行われる。固定された部品１０と移動可能な部品１１の間の固定された連結は、ドア１が、このドア１を押し切った状態である終端位置にあるときのみにおいて分離される。ガラス製のショーケースの右方外側面３または左方外側面４に向かってドア１を回転させることのみが可能である。図３に示すような例示的な実施形態の場合において、１つのベアリング１２が回転移動のために設けられている。しかしながら、特定の理由により、固定された部品１０および移動可能な部品１１の間の回転点を特定する際に、例えばデザインの自由度を高めるために、代わりに複数の関節のあるヒンジを用いることを考えることもできる。ドア１が横方向に移動したときには、このドアの重心および回転動作の回転点は同じように移動する。ドアの重心および回転点の位置は同一であり、これらのものはガラス製のショーケースの外部ではあるができるだけ近い箇所に位置される。
【００１３】
ドア１の縁部領域において、ガラス製のショーケース１３またはドア１自体にシール用のへりを設けることができる。このシール用のへりは、ドアが閉じた状態において、外部環境に対してショーケース１３の内部に空気を通さないようシールする。この目的のため、さらに場合によっては美観のため、ガラス製のショーケースは、ドア１が閉じた状態において少なくとも右方外側面３および左方外側面４の前方の縁部が、この右方外側面３または左方外側面４の外部表面を同一平面上でシールするよう、構成されている。ドアの移動において、ドア１を開く工程を開始する前に、ドア１は最初にガラス製のショーケース１３から外方に移動させなければならない。このことは、ガイド手段７の第１の部材８が、ガラス製のショーケース１３に対して右方外側面３および左方外側面４に取り外し自在に平行に連結するという事実の結果、生じる。このことは、例えば、ガラス製のショーケース１３と第１の部材８との間に固定的に設けられた、２つの円筒形のガイド（図示せず）により達成される。締め具（図示せず）を外した後、ドア１は、例えば、円筒形のガイド上で、バネの力またはドア１自体の自重により前方に移動することができるようになる。このことにより、ガイド手段７は、ドア１が左方外側面３または右方外側面４の前縁を通過して横方向に押されるよう、ガラス製のショーケース１３から外方に突出することができる。
【００１４】
ガラス製のショーケースを閉じるために、ドア１は、最初に、第２の部材９における固定された部品１０および移動可能な部品１１が再び互いに重なるような位置に戻り、両方の部品が最終的に互いにロックされ、ドア１が再び閉止位置へのみ移動可能となる。この閉止位置から、ドアはガラス製のショーケースに向かって押され、最終的にこの位置で再びロックされる。
【００１５】
本発明は、展示用のガラス製のショーケースに限定されることはなく、大きな製品を保管する装置にも適用することができる。
【図面の簡単な説明】
【００１６】
【図１ａ】ドアが閉じた状態におけるガラス製のショーケースの斜視図である。
【図１ｂ】ドアが横方向に移動したときのガラス製のショーケースを示す。
【図１ｃ】ドアが開いて横方向に回転したときのガラス製のショーケースを示す。
【図２】ガイド手段の側面図である。
【図３】ガイド手段の上面図である。
【図１ａ】
2008538946.tif 000003
【図１ｂ】
2008538946.tif 000004
【図１ｃ】
2008538946.tif 000005
【図２】
2008538946.tif 000006
【図３】
2008538946.tif 000007
【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
製品の保管および／または展示を行うガラス製のショーケースであって、
前方外側面と、後方外側面と、右方外側面と、左方外側面と、底部と、頂部を形成する上部と、を備え、
少なくとも１つの外側面、例えば前方外側面は、ガラス製のドアとして形成されており、
ガラス製のショーケースの閉じた状態において、このショーケースの内部は外部環境に対して空気を通さないようシールされており、
ドアは、上部または下部の領域に、あるいは上部および下部のそれぞれの領域に設けられたガイド手段により、横方向に平行に移動自在となるよう設けられており、
ガイド手段（７）は、第１の部材（８）および第２の部材（９）を有し、第１の部材（８）はガラス製のショーケース（１３）に接続され、第２の部材（９）はドア（１）に取り付けられ、
第２の部材（９）は、固定された部品（１０）および移動自在の部品（１１）を有し、両方の部品（１０、１１）は、ドア（１）の中心の領域において設けられたベアリング（１２）により、固定および取り外しが自在となるよう、互いに回転自在に連結され、
ドア（１）は、両方の部品（１０、１１）が連結された状態のときに、当該ドアの半分が開くまで横方向に移動自在となっており、
ドア（１）が横方向における移動終端位置にあるときにのみ、両方の部品（１０、１１）の分離が可能となることが、適切な手段により確実に行われ、この位置において、ガイド手段（７）における対応する形状により、ドア（１）は、このドア（１）の突出した部分が平行状態にある左方外側面（４）または右方外側面（３）に隣接するまで、回転することができることを特徴とするガラス製のショーケース。
【請求項２】
適切な手段により、ドア（１）の回転点が、当該ドアの開いた状態における終端位置において外方に移動させられることを特徴とする請求項１記載のガラス製のショーケース。
【請求項３】
ドア（１）が完全に開いた状態のときに、このドア（１）の重心はベアリング（１２）の回転点に位置することを特徴とする請求項１または２に記載のガラス製のショーケース。
【請求項４】
ガイド手段（７）の第１の部材（８）は、ガラス製のショーケースに固定状態で連結されていることを特徴とする請求項１乃至３のいずれか一項に記載のガラス製のショーケース。
【請求項５】
右方外側面（３）および／または左方外側面（４）への案内を行うガイド手段（７）の第１の部材（８）は、平行に移動させることができるようガラス製のショーケース（１３）に取り付けられていることを特徴とする請求項１乃至３のいずれか一項に記載のガラス製のショーケース。
【請求項６】
ドア（１）は、当該ドアが閉じた状態において、左方外側面（４）および右方外側面（３）の両方の縁部領域に囲まれるようになっており、ガイド手段（７）の第１の部材（８）は対応するガイドによりガラス製のショーケース（１３）に接続されており、第１の部材（８）は、締め具を外したあと、ガラス製のショーケース（１３）から外すことができるようになっていることを特徴とする請求項４記載のガラス製のショーケース。
【手続補正書】
【提出日】平成20年1月7日(2008.1.7)
【手続補正１】
【補正対象書類名】明細書
【補正対象項目名】０００４
【補正方法】変更
【補正の内容】
【０００４】
この目的は、ガイド手段が、第１の部材および第２の部材を有し、第１の部材はガラス製のショーケースに接続され、第２の部材はドアに取り付けられ、第２の部材は、固定された部品および移動自在の部品を有し、両方の部品は、ドアの中心の領域において設けられたベアリングにより、固定および取り外しが自在となるよう、互いに回転自在に連結され、ドアは、両方の部品が連結された状態のときに、当該ドアの半分が開くまで横方向に移動自在となっており、ドアが横方向における移動終端位置にあるときにのみ、両方の部品の分離が可能となることが、適切な手段により確実に行われ、この位置において、ガイド手段における対応する形状により、ドアは、このドアの突出した部分が平行状態にある左方外側面または右方外側面に隣接するまで、回転することができることにより達成される。
【手続補正２】
【補正対象書類名】明細書
【補正対象項目名】０００５
【補正方法】変更
【補正の内容】
【０００５】
ガラス製のショーケースの幅が大きい場合であっても、すなわち非常に長い前部を有している場合であっても、ドアの回転範囲はドアの幅の半分のみとなり、展示スペースにおけるガラス製のショーケースのスペースを節約することができる。本発明によるガラス製のショーケースの更なる利点は、とりわけ奥行きの小さなガラス製のショーケースの場合で安定性に関する問題が起きないということである。なぜならば、開いた状態にあるドアにおける回転自在なベアリングにより、ガラス製のショーケースの前部に張力が生じない限りにおいて、ドアの質量は回転点に関してバランスが取られるからである。
家具の部材として、回転ドアが組み合わされた状態にある取り付け部材が知られている。この取り付け部材は、取り付け回転軸を中心として回転位置で回転することができる。このような構成は、例えば、欧州特許公開公報ＥＰ  １  ４４９  ９９９  Ａ１に開示されている。この場合において、取り付け部材を、取り外し方向に沿って取り外し自在に案内するガイドが設けられている。このようなガイドは、取り外し工程の開始時に、断面において家具の部材のハウジングからドアが離間するような、対応する傾斜形状の構造により得られる。ドアの回転機能は、ドアの開口の外で押し出されるようドアが各々位置しているときにのみ、解除される。この場合において、ドアが横方向にハウジングから半分だけはみだしたときに、横方向にドアを押し出すことが可能であり、また、ドアは、このような取り付け部品を有するハウジング上で横方向に回転可能である。このことにより、ドアは完全に開かれる。このような公知の取り付け部材の欠点は、コストが高いことに加えて、取り付け部材の回転点が常にハウジングに固定的に位置していることにある。
これに対して、本発明の場合では、回転点が第２の部材における移動可能な部品上に位置している。このことは、本発明の更なる利点の形態が、適切な手段により、ドアの回転点が、当該ドアの開いた状態における終端位置において外方に移動させられることに基づいている。その結果、ドアの完全な回転範囲が得られるだけでなく、回転点におけるドアの質量が均一に分散され、回転動作の解除と組み合わされる、中心に設けられた回転点により、ドアの中心が回転点にあるときのみにおいて、ハウジングに隣接するドアの半分の質量が、残りの半分の質量に対応するようになる。このような方法により、ガラス製のショーケースが完全に開いた状態から横倒しになるという危険がない。
【国際調査報告】
2008538946.tif 000008
2008538946.tif 000009
2008538946.tif 000010
2008538946.tif 000011
2008538946.tif 000012
2008538946.tif 000013